(57)【要約】【課題】規定のＬＥＤユニットと天井取付部品とにより構成することで、部品点数を削減する。【解決手段】  実施形態に係る照明装置は、筐体と、前記筐体の先端面側に取り付けられて照明光を照射するＬＥＤモジュールと、前記筐体内に収納され前記ＬＥＤモジュールを駆動する点灯回路部とを有し、前記筐体は前記ＬＥＤモジュールによる熱を放熱する機能を有するＬＥＤユニットと；照明開口部を有する支持部と、天井取付部とを有し、前記照明開口部が前記筐体の先端面側に取り付けられ、前記天井取付部が天井面に取り付けられる天井取付部品と；を具備する。【選択図】図１
2016066409.tif 000002
【特許請求の範囲】
【請求項１】
筐体と、前記筐体の先端面側に取り付けられて照明光を照射するＬＥＤモジュールと、前記筐体内に収納され前記ＬＥＤモジュールを駆動する点灯回路部とを有し、前記筐体は前記ＬＥＤモジュールによる熱を放熱する機能を有するＬＥＤユニットと；
照明開口部を有する支持部と、天井取付部とを有し、前記照明開口部が前記筐体の先端面側に取り付けられ、前記天井取付部が天井面に取り付けられる天井取付部品と；
を具備することを特徴とする照明装置。
【請求項２】
前記ＬＥＤユニットは、ＬＥＤ電球を構成する１部品であるＬＥＤユニットを流用可能である
ことを特徴とする請求項１に記載の照明装置。
【請求項３】
前記筐体の基端側に取り付けられ、前記ＬＥＤユニットへの給電を行う給電部品と；
を具備することを特徴とする請求項１又は２に記載の照明装置。
【発明の詳細な説明】
【技術分野】
【０００１】
本発明の実施形態は、照明装置に関する。
【背景技術】
【０００２】
従来、ＬＥＤ（Light  Emitting  Diode）等の半導体発光素子を光源とする照明装置が用いられている。このようなＬＥＤを用いた照明装置においては、小型化や大光量化のために、十分な放熱特性を考慮して、ＬＥＤモジュールには放熱器が取り付けられる。天井埋め込み式の照明装置では、ＬＥＤモジュール及び放熱器は天井裏に配置され、天井面に固定された化粧枠に取り付けられるシャーシによって、ＬＥＤモジュール及び放熱器を支持する構成が採用されることがある。なお、シャーシには、ＬＥＤモジュールからの光の配光を決定する反射板も取り付けられる。
【０００３】
このような構成では、ＬＥＤモジュールの特性に応じてシャーシ及び放熱器等を設計するようになっており、汎用性が低いという欠点がある。
【０００４】
そこで、ＬＥＤモジュールの特性に応じた放熱性能を有しつつ、規定の形状、サイズに構成されたＬＥＤ電球を利用する天井埋め込み式の照明装置も開発されている。この種の照明装置は、ＬＥＤ電球以外の電球の取り付けも可能な枠付き反射鏡と、電球を取り付けるための端子台付ソケットとを有する。このような天井埋め込み式の照明装置では、端子台付ソケットに取り付けるＬＥＤ電球を交換することで、希望する照明特性での照明が可能である。
【０００５】
しかしながら、このような天井埋め込み式の照明装置は、ＬＥＤ電球以外の電球も取り付け可能な器具（以下、埋め込み式ＬＥＤ電球取付け器具という）とＬＥＤ電球とを単に組み合わせたものであり、必要以上に部品点数が多いという問題があった。
【先行技術文献】
【特許文献】
【０００６】
【特許文献１】特開２０１３−２４７０８７号公報
【発明の概要】
【発明が解決しようとする課題】
【０００７】
本発明の実施形態は、規定のＬＥＤユニットと天井取付部品とにより構成することで、部品点数を削減することができる照明装置を提供することを目的とする。
【課題を解決するための手段】
【０００８】
実施形態に係る照明装置は、筐体と、前記筐体の先端面側に取り付けられて照明光を照射するＬＥＤモジュールと、前記筐体内に収納され前記ＬＥＤモジュールを駆動する点灯回路部とを有し、前記筐体は前記ＬＥＤモジュールによる熱を放熱する機能を有するＬＥＤユニットと；照明開口部を有する支持部と、天井取付部とを有し、前記照明開口部が前記筐体の先端面側に取り付けられ、前記天井取付部が天井面に取り付けられる天井取付部品と；を具備する。
【発明の効果】
【０００９】
本発明の実施形態によれば、規定のＬＥＤユニットと天井取付部品とにより構成することで、部品点数を削減することができるという効果を有する。
【図面の簡単な説明】
【００１０】
【図１】本発明の一実施の形態に係る照明装置を示す正面図。
【図２】図１の照明装置の各部を分解して示す正面図。
【図３】一般に使用されているＬＥＤ電球５０の各部を分解して示す正面図。
【図４】変形例を示す正面図。
【図５】変形例を示す正面図。
【発明を実施するための最良の形態】
【００１１】
本実施の形態は、筐体と、前記筐体の先端面側に取り付けられて照明光を照射するＬＥＤモジュールと、前記筐体内に収納され前記ＬＥＤモジュールを駆動する点灯回路部とを有し、前記筐体は前記ＬＥＤモジュールによる熱を放熱する機能を有するＬＥＤユニットと；照明開口部を有する支持部と、天井取付部とを有し、前記照明開口部が前記筐体の先端面側に取り付けられ、前記天井取付部が天井面に取り付けられる天井取付部品と；を具備する。
【００１２】
また、前記ＬＥＤユニットは、ＬＥＤ電球を構成する１部品であるＬＥＤユニットを流用可能である。
【００１３】
以下、図面を参照して本発明の実施の形態について詳細に説明する。
【００１４】
図１は本発明の一実施の形態に係る照明装置を示す正面図である。また、図２は図１の照明装置の各部を分解して示す正面図である。
【００１５】
本実施の形態に係る照明装置１は、例えば、屋内の天井２９（図２参照）に埋め込み設置されるダウンライト型の照明器具であり、ＬＥＤ等の発光素子を発光させることにより、下方向に位置する室内等を照明する。照明装置１は、ＬＥＤユニット１０と、天井取付部品２０と、電源接続部品３０とによって構成される。本実施の形態においては、ＬＥＤユニット１０としては、ＬＥＤ電球に採用されるＬＥＤユニットを流用することができる。なお、以下、照明装置１等の各部の説明では、天井取り付け状態で上側に位置する部分を基端側、下側に位置する部分を先端側ということもある。
【００１６】
一般的に、天井埋め込み式の照明装置においては、器具下方へ光を出射させればよく、光の広がる角度が比較的狭いＬＥＤ電球を用いた場合には、反射鏡による配光制御は不要である。ＬＥＤ電球を利用した従来の天井埋め込み式の照明装置は、上述したように、埋め込み式ＬＥＤ電球取付け器具とＬＥＤ電球とを単に組み合わせたものであり、ＬＥＤ電球を取り付ける端子台付きソケットを天井に支持するための枠付き反射鏡を採用している。即ち、従来の照明装置は、不要な反射鏡を備えており、部品点数が多い。
【００１７】
そこで、本実施の形態においては、ＬＥＤ電球の一部の構成であるＬＥＤユニットを利用すると共に、ＬＥＤユニットを天井に保持する天井取付部品を採用することで、部品点数を削減しながら、汎用性に優れた天井埋め込み式の照明装置を構成する。
【００１８】
図３は一般に使用されているＬＥＤ電球５０の各部を分解して示す正面図である。ＬＥＤ電球５０は、ＬＥＤユニット１０ａ、グローブ６０及び口金７０によって構成される。口金７０は、図示しないソケットにねじ込むためのねじ７１が形成された円筒形状を有し、ねじ７１の金属と、基端側先端の金属による電極７２とによって、図示しない電源からの電力をＬＥＤユニット１０ａ内の点灯回路部１３に供給する。グローブ６０は、略半球状の形状を有し、円形の照明開口部６１側がＬＥＤユニット１０ａに取り付けられ、照明開口部６１に入射したＬＥＤユニット１０ａからの光を、半球状の拡散部材６２によって拡散する。
【００１９】
ＬＥＤユニット１０ａは、基端側が口金７０先端の円形状に略一致し、先端側がグローブ６０基端の照明開口部６１の開口形状である円形状に略一致するように、例えば、基端側から先端側に向かって拡径された円錐形状の筐体１１を有する。ＬＥＤユニット１０ａは、筐体１１の先端面側にＬＥＤモジュール１２が配置される。ＬＥＤモジュール１２は、例えば、光軸に垂直に基板面が構成されたＬＥＤ実装基板１２ａと、このＬＥＤ実装基板１２ａ上に搭載されたＬＥＤ１２ｂとによって構成される。ＬＥＤ１２ｂは、筐体１１内のＬＥＤ実装基板１２ａの基端側に設けられた点灯回路部１３によって駆動されて照明光を出射するようになっている。
【００２０】
ＬＥＤユニット１０ａの筐体１１には、放熱部材が用いられていてもよい。ＬＥＤユニット１０ａは、必要な放熱機能を有するように設計される。なお、ＬＥＤユニット１０ａは、適宜の放熱構造を有していればよく、必ずしも筐体１１を放熱部材で構成する必要はない。ＬＥＤユニット１０ａの放熱機能により、ＬＥＤモジュール１２の発熱を抑制し、安定した発光及び長寿命化が可能である。通常、ＬＥＤユニット１０ａは、ＬＥＤモジュール１２の特性及び放熱特性を考慮して設計されており、照明特性が異なる複数のユニットが共通の形状及びサイズで構成されることが一般的である。即ち、消費電力が異なる照明器具を構成する場合でも、ＬＥＤユニット１０ａ以外の部品を共通化し、ＬＥＤユニット１０ａのみの交換を行った場合でも、十分に放熱特性等を満足することになる。換言すると、ＬＥＤユニット１０ａを利用すれば、放熱特性等に関して、他の部品の設計を考慮する必要がない。
【００２１】
本実施の形態においては、図３のＬＥＤユニット１０ａと同一の部品を利用して照明装置１を構成するようになっている。図１のＬＥＤユニット１０は図３のＬＥＤユニット１０ａと同一の部品である。
【００２２】
図１及び図２において、天井取付部品２０は、例えば、ＡＢＳ樹脂等の合成樹脂製、又は、アルミダイカスト等の金属製である。天井取付部品２０は、基端側及び先端側の両端がそれぞれ略円形に開口され、先端側に向かって拡径されて円錐形状に形成された支持部２１と、支持部２１の先端側において外向きに突出した環状フランジ２２とを有する。環状フランジ２２の先端は更に外向きに突出しており、この突出部分は例えば円形状の化粧枠２３を構成する。また、環状フランジ２２の上端には、弾性を有するバネ部材等の取付け金具２４が取り付けられている。
【００２３】
照明装置１を配設する天井面２９ａ（図２参照）には、環状フランジ２２に対応する円形開口が形成される。化粧枠２３の上面が天井面２９ａに当接するまで、環状フランジ２２を天井開口に嵌め入れて、天井取付部品２０の支持部２１を天井開口内に挿入し、取付け金具２４と化粧枠２３とによって天井２９を挟むことで、天井取付部品２０が天井２９に固定するようになっている。
【００２４】
ＬＥＤユニット１０と天井取付部品２０とは、ＬＥＤユニット１０の先端面側が天井取付部品２０の基端側の照明開口部２５に臨むように、図示しない係止部材によって互いに取付け固定されるようになっている。化粧枠２３の先端面には、支持部２１の先端開口を閉塞する拡散部２６が構成される。拡散部２６は、ＬＥＤモジュール１２のＬＥＤ１２ｂの搭載面（発光面）に略平行に設けられて、ＬＥＤ１２ｂからの光を拡散して下方に出射するようになっている。
【００２５】
なお、化粧枠２３の拡散部２６を省略して、天井取付部品２０内に拡散板を設け、この拡散板によってＬＥＤ１２ｂからの光を拡散して下方に出射するようにしてもよい。
【００２６】
また、支持部２１の内周面を反射材料によって構成してもよい。この場合には、支持部２１の内周面は反射板として機能し、ＬＥＤモジュール１２からの光を反射させて、室内を照明することができる。また、この場合には、支持部２１の内周面の形状を適宜設定することで配光制御が可能である。
【００２７】
ＬＥＤユニット１０の上端には、給電部品である電源接続部品３０が取付けられている。電源接続部品３０には、天井裏に配線された電源線が接続されて、電源電圧をＬＥＤユニット１０の点灯回路部１３に供給することができるようになっている。
【００２８】
なお、本実施の形態においては、電源接続部品３０を用いてＬＥＤユニット１０に電力を供給する例を説明したが、電源接続部品３０に代えて図３の口金７０を採用してもよい。即ち、本実施の形態においては、図３のＬＥＤユニット１０ａ及び口金７０と、図１の天井取付部品２０とによって、照明装置を構成するようにしてもよい。
【００２９】
このように構成された照明装置１においては、電源接続部品３０を介してＬＥＤユニット１０内の点灯回路部１３に電力を供給することで、ＬＥＤモジュール１２のＬＥＤ１２ｂを点灯させることができる。ＬＥＤ１２ｂからの光は、拡散部２６を介して比較的狭い範囲に照射される。従って、天井取付部品２０は、配光制御の機能を有している必要はなく、ＬＥＤユニット１０を天井に支持するための機能のみを有していればよい。このため、天井取付部品２０を支持部２１と、環状フランジ２２及び取付け金具２４等の天井取付部とによって構成することができる。即ち、天井取付部品２０には、反射板もＬＥＤモジュール１２への電力供給のための部品も設ける必要がなく、部品点数の削減が可能である。
【００３０】
また、ＬＥＤユニット１０は、単体で十分な放熱特性を有しており、照明特性及び放熱特性の設計に際して他の部品を考慮する必要はない。従って、ＬＥＤユニット１０と他の部品との組み合わせの自由度が高い。また、ＬＥＤユニット１０は消費電力等が異なる場合でも規定のサイズ及び形状に構成されることから、同一の天井取付部品２０に、異なる消費電力のＬＥＤユニット１０を取り付けることができ、この場合でも、ＬＥＤユニット１０以外の他の部品については放熱特性等を考慮する必要がない。従って、ＬＥＤユニット１０を利用することで、照明特性が異なる複数種類の天井埋め込み式の照明装置を簡単に構成することができる。
【００３１】
また、ＬＥＤユニット１０としては、ＬＥＤ電球の１部品であるＬＥＤユニット１０ａを流用することができ、照明装置１のＬＥＤユニット１０として多種多様のＬＥＤユニット１０ａの利用が可能である。従って、照明特性が異なる複数種類の天井埋め込み式の照明装置を簡単に構成することができ、極めて汎用性に優れている。
【００３２】
また、埋め込み式ＬＥＤ電球取付け器具は、ＬＥＤ電球を器具外郭で覆う構造であったが、本実施の形態においては、ＬＥＤ電球の筐体自体が照明器具外郭となることから、ＬＥＤ及び点灯回路部の放熱上も有利であると共に、小型化することができる。
（部品点数）
例えば、一般的なＬＥＤ電球は、口金、ＬＥＤユニット及びグローブにより構成され、埋め込み式ＬＥＤ電球取付け器具は、取付けバネ等の天井取付部、枠付反射鏡、ソケット台及び端子台付ソケットにより構成されており、埋め込み式ＬＥＤ電球取付け器具とＬＥＤ電球とを単に組み合わせて照明装置を構成した場合には合計７部品を要する。これに対し、本実施の形態においては、取付け金具２４等の天井取付部、支持部２１、ＬＥＤユニット１０及び電源接続部品３０の合計４部品で照明装置を構成することができる。
【００３３】
このように、本実施の形態においては、規定のＬＥＤユニットと天井取付部品とにより構成することで、部品点数を削減しながら、簡単に多種多様の天井埋め込み式の照明装置を構成することができる。
【００３４】
なお、上記実施の形態においては、電源接続部品３０、ＬＥＤユニット１０及び天井取付部品２０は、相互に着脱自在である必要はないが、ねじ等を利用して相互に着脱自在に構成してもよい。
（変形例）
図４及び図５は変形例を示す正面図である。照明装置１を天井に埋め込み設置する場合を考慮して、ＬＥＤユニット１０と天井取付部品２０とを一体的に構成し、天井裏への埋め込み設置に際して、天井裏の配線に接続された電源接続部品３０とＬＥＤユニット１０とを接続する方法が考えられる。この場合には、電源接続部品３０とＬＥＤユニット１０との接続を維持するために、両者を金具等で固定する。
【００３５】
図４はこの固定を固定金具８１によって行う例を示している。固定金具８１は、コ字形状を有しており、コ字形状の両端が天井取付部品２０に接続されると共に、コ字形状中央の直線部分が電源接続部品３０の上端面に配置される。コ字形状中央の直線部分によって、電源接続部品３０の上端面が下方に押圧され、電源接続部品３０とＬＥＤユニット１０との接続が維持される。
【００３６】
図５は固定部品８２を採用した例を示している。固定部品８２は、円筒形状の部材であり、内周面に電源接続部品３０の外周面及びＬＥＤユニット１０の外周面にそれぞれ係止される図示しない２つの係止部が設けられている。電源接続部品３０とＬＥＤユニット１０との接続に際して、固定部品８２を両者の接続部分に嵌込むことで、固定部品８２の内周面に設けた係止部と電源接続部品３０及びＬＥＤユニット１０とがそれぞれ係止されて、電源接続部品３０とＬＥＤユニット１０との接続が維持される。
【００３７】
以上本発明の実施形態を説明したが、実施形態は例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３８】
１…照明装置、１０…ＬＥＤユニット、１１…筐体、１２…ＬＥＤモジュール、２０…天井取付部品、２１…支持部、２３…化粧枠、２４…取付け金具、２６…拡散部、３０…電源接続部品。
【図１】
2016066409.tif 000003
【図２】
2016066409.tif 000004
【図３】
2016066409.tif 000005
【図４】
2016066409.tif 000006
【図５】
2016066409.tif 000007